(57)【要約】      （修正有）【課題】意図しない解放を防止するとともに、不便な二重のラッチを回避することができる。【解決手段】ロックプレート２０が、第１エレメント９１の一方の端部に設置され、第１の方向（軸方向）、および第２の方向（半径方向）に移動できる。フック９２１，９２２は、第２エレメント９２の一端に形成され、ロックプレートに対応する。第２および第３スプリング３０，４０が、半径方向および軸方向の力をロックプレートに加え、解放位置およびラッチ位置に維持する。第１および第２エレメントが最小距離に収縮されるとき、ロックプレートを挿通するフックは、半径方向の力を伴うロックプレートによってラッチされる。ロックプレートのラッチを外すためには、まず、軸方向の力により停止ロッドから解放され、半径方向に移動して解放される。【選択図】図１
0003102052.tif 000002
【実用新案登録請求の範囲】
【請求項１】
停止ロッドおよび２つの案内ロッドが一端部に形成され２つの通孔が前記停止ロッドの側方に形成された第１エレメントと、
前記第１エレメントに設けられる第１ばねと、
前記第１エレメントに対して移動可能に設けられ、前記第１ばねで支えられる第２エレメントであって、一端部にはフックが形成され、前記第２エレメントは通常時に前記第１エレメントとの最大距離を保ち、前記第１ばねの押圧後に前記フックが前記通孔を通過してなる第２エレメントと、
前記停止ロッドに対応して前記第１のエレメントに取り付けられてなるロック機構と、を有する安全ロック機構を備えた伸縮装置であって、
前記ロック機構は、
第１の方向に移動可能であり、孔が形成された案内プレートと、
前記第１の方向に設けられる第２ばねであって、前記案内プレートを前記第２ばねが解放されるところの解放位置と前記第２ばねが押圧されるところの安全位置との間で移動可能に支持する第２ばねと、
前記案内プレートに取り付けられ、前記第１の方向に対して垂直な第２方向に移動可能であり、前記第１の方向に前記解放位置および前記安全位置の間で前記案内プレートとともに移動可能であり、前記孔に対応する停止部、および前記フックがラッチされ得る少なくとも１つのロック孔が形成されたロックプレートと、
前記第２の方向に設けられる第３ばねであって、前記ロックプレートを前記第３ばねが解放されるところのラッチ位置と前記第３ばねが押圧されるところのラッチされない位置との間で移動可能に支持する第３ばねと、を有し、
前記停止ロッドが前記孔と前記安全位置にある前記停止部とに進入可能であり、前記第１ばねによって前記第２ばねが押圧されて前記ロックプレートが前記安全位置に動かされるとき、前記ロックプレートは前記第２の方向に動くことができず、重力が前記第１ばねに加わって前記第２ばねを解放させて前記ロックプレートを前記第２の方向に移動可能にするとき、前記ロックプレートは前記解放位置に戻され、外力が前記ロックプレートに加わって前記第３ばねを押圧して前記ロックプレートが前記ラッチされない位置に動かされるとき、前記フックは前記第１ばねの力によって前記ロックプレートから解放され、前記第２エレメントが前記第１ばねの力によって前記第１エレメントから外方に移動されることを特徴とする安全ロック機構を備えた伸縮装置。
【請求項２】
前記案内プレートには、前記ロックプレートに形成されるレールスロットに入って前記第２方向に移動可能な、前記第１の方向に突出するレールが形成されていることを特徴とする請求項１に記載の安全ロック機構を備えた伸縮装置。
【請求項３】
前記ロック孔の一方の側部には、前記第１の方向に出っ張るスロープが形成されていることを特徴とする請求項１に記載の安全ロック機構を備えた伸縮装置。
【請求項４】
前記フックは、案内スロープと、フック部とを備えていることを特徴とする請求項１に記載の安全ロック機構を備えた伸縮装置。
【請求項５】
前記第１のエレメントの一方の端部近くには、前記停止ロッドおよび前記案内ロッドを設置するとともに前記ロック機構を収容する空間を形成するための仕切りが形成されていることを特徴とする請求項１に記載の安全ロック機構を備えた伸縮装置。
【請求項６】
前記空間を閉じるためのカバーをさらに有することを特徴とする請求項５に記載の安全ロック機構を備えた伸縮装置。
【請求項７】
第１の方向に移動可能であり、孔が形成された案内プレートと、
前記第１の方向に設けられる第２ばねであって、前記案内プレートを前記第２ばねが解放されるところの解放位置と前記第２ばねが押圧されるところの安全位置との間で移動可能に支持する第２ばねと、
前記案内プレートに取り付けられ、前記第１の方向に対して垂直な第２方向に移動可能であり、前記第１の方向に前記解放位置および前記安全位置の間で前記案内プレートとともに移動可能であり、前記孔に対応する停止部、および少なくとも１つのロック孔が形成されたロックプレートと、
前記第２の方向に設けられる第３ばねであって、前記ロックプレートを前記第３ばねが解放されるところのラッチ位置と前記第３ばねが押圧されるところのラッチされない位置との間で移動可能に支持する第３ばねと、
前記第１の方向に伸延して設けられ、前記孔および前記停止部に対応しており、前記孔と前記安全位置にある前記停止部とに進入可能な停止ロッドと、
前記ロック孔に対応しており、前記第２ばねの押す力の反対方向に押す第１ばねによって支持され、前記第１ばねを押圧し前記第２ばねの力により前記ラッチ位置にある前記ロック孔に引っ掛かり得る少なくとも１つのフックと、を有し、
前記第１ばねによって前記第２ばねが押圧されて前記ロックプレートが前記安全位置に動かされるとき、前記ロックプレートは前記第２の方向に動くことができず、第１の外力が前記第１ばねに加わって前記第２ばねを解放させて前記ロックプレートを前記第２の方向に移動可能にするとき、前記ロックプレートは前記解放位置に戻され、第２の外力が前記ロックプレートに加わって前記第３ばねを押圧して前記ロックプレートが前記ラッチされない位置に動かされるとき、前記フックは前記第１ばねの力によって前記ロックプレートから解放されることを特徴とするロック装置。
【請求項８】
前記第１の方向に沿って移動する前記案内プレートおよび前記ロックプレートをガイドするための前記停止ロッドよりも大きい長さを有する一対の案内ロッドをさらに有する請求項７に記載のロック装置。
【請求項９】
前記案内プレートには、前記第１の方向に突出する一対のレールが形成され、前記ロックプレートには、前記レールを前記第２方向に移動可能に受けるためのレールスロットが形成されていることを特徴とする請求項７に記載のロック装置。
【請求項１０】
前記ロック孔の一方の側部には、前記第１の方向に出っ張るスロープが形成されていることを特徴とする請求項７に記載のロック装置。
【考案の詳細な説明】
【技術分野】
【０００１】
本考案は、安全ロック機構を備えた伸縮装置に関し、より詳しくは、部材を連結し、当該部材の相対的な直線方向の位置を調節するための、安全ロック機構を備えた伸縮装置に関する。
【背景技術】
【０００２】
多くの種類の伸縮装置が、機械、家庭用器具、および電子製品を含む一般の装置において、ユーザがいくつかのコンポーネントを使用のための適切な位置に合わせるために使われている。
【０００３】
例えば、多くのコンピュータのモニタは、従来の大きなＣＲＴ（陰極線管）から、現在主流のフラットパネルＬＣＤ（液晶ディスプレイ）に置き換えられている。ＣＲＴは、重くて、通常、角度調整だけのための回動可能なベースに取り付けられる。液晶ディスプレイは、コンパクトで軽く、したがって、液晶ディスプレイのベースは、角度調整のみならず、高さ調整も可能な状態で提供される。
【０００４】
従来の液晶ディスプレイの支持部材は、主に、ベース、および支持ロッドを含む。当該ロッドは、液晶パネルを伸縮可能な方法で支持する。調整の間にロッドの長さを伸長するために、ばねがロッドに含まれる。包装されるとき、ロッドはベースに引っ込められて、より容易な配達のために隙間を節約する。突然にロッドがベースから突き出ることを妨げるために、ラッチが、引っ込み時の位置でロッドをロックするように、通常、ベースに設けられる。しかし、ラッチは、配達の間、何らかの外力によって、容易に意図せずに解放され得る。ロッドは、包装されているために完全には伸長されないかもしれないが、包装を解くときには、それが突然飛び出して人々を傷つけるおそれがある。他の事故としては、使用の間、ユーザによって意図せずにラッチが動かされ、突然伸長してユーザを傷つけてしまうということがある。
【０００５】
ラッチをロックするための一種の安全ラッチないしスイッチもまた存在する。この場合、ユーザは、移動可能な機構を解放するために、メインラッチを操作する前に安全ラッチを解放しなければならない。しかし、このような二重のダブルラッチシステムは、使用上便利ではない。
【０００６】
上記の通り、ＬＣＤパネルのための従来の伸縮可能な支持エレメントは、調整されたエレメントの位置を固定するために１つのラッチのみを有するかもしれない。この場合、１つのラッチ装置によっては、ラッチの意図的でない解放を防止することができず、事故が生じるおそれがある。一方、従来の伸縮可能な支持エレメントは、メインラッチをロックするための付加的な安全ラッチを有するかもしれないけれども、操作はユーザにとって容易ではない。
【考案の開示】
【考案が解決しようとする課題】
【０００７】
本考案は上述した課題に鑑みてなされたものであり、本考案の目的は、意図しない解放を防止するとともに、不便な二重のラッチを回避することができる安全ロック機構を備えた伸縮装置を提供することである。
【課題を解決するための手段】
【０００８】
本考案による伸縮装置は、相対的な距離を変えるために相互に直線方向に移動可能な第１エレメントおよび第２エレメントを有する。第１ばねが、第１および第２のエレメントの間に設けられており、２つのエレメントを通常それらの最大距離に伸長させる。ロック機構が、第１エレメントの一方の端部に設置される。ロック機構のロックプレートは、第１の方向（軸方向）、および第２の方向（半径方向）に移動可能であり、解放位置と安全位置との間で軸方向に変位でき、ラッチ位置とラッチされない位置との間で半径方向に変位できる。第２および第３スプリングが、半径方向および軸方向の力をロックプレートに加えるために、ロックプレートに適用される。第２および第３スプリングは、通常、ロックプレートを、それぞれ解放位置およびラッチ位置に維持する。少なくとも１つのフックが第２エレメントの一方の端部に形成され、ロックプレートに対応している。第１および第２エレメントが最小距離に収縮されるとき、ロックプレートを挿通するフックは、半径方向の力を伴うロックプレートによって、ラッチされる。少なくとも１つの停止ロッドが、第１および第２のエレメントが収縮された状態に保たれるようにロックプレートの半径方向の運動を制限するために、第１エレメントに形成されている。２つのエレメントは、ロックプレートにつながる露出されたボタンが意図せずに押されるときでさえ、解放されることができない。
【０００９】
ロックプレートのラッチを外すためには、ロックプレートは、まず、軸方向の力により停止ロッドから解放されて、第２エレメントのフックの引っ掛かりを外すために半径方向に移動可能でなければならない。それから、第２エレメントが第１エレメントから解放される。
【００１０】
実用的には、本考案のロック機構を用いた伸縮装置は、液晶ディスプレイパネルに適用できる。第２エレメントが第１のエレメントの中に引っ込ませられてロックプレートによってラッチされるとき、第２エレメントに軸方向の力が加えられないならば、ボタンを押しても、第２エレメントを解放するためにロックプレートを動かすことができない。液晶ディスプレイパネルが第２エレメントに固定されるとき、液晶ディスプレイパネルの重量（重力）は、第１および第２エレメントの間に取り付けられる第１ばねの弾性力に対抗する軸方向の力を提供する。それで、ロックプレートは、第２ばねによって軸方向に移動できる。それから、ユーザは、第２エレメントを第１エレメントから解放するために、ボタンを押して、第３ばねの力に対抗するとともに、ロックプレートを動かしてフックを解放することができる。外観上、本考案は、１つのボタンを有するだけであるが、しかしながら、二次元に移動可能なロックプレートにより、当該ボタンは、ダブルラッチ（二重ラッチ）の安全機能を提供する。
【００１１】
本考案のロック機構および方法は、伸縮装置に適用可能である。本考案は、ロック状態を解放するために、外観上、１つのボタンを提供する。ロックされている装置に何ら付加的な力が加えられないとき、ボタンを押しても当該ロックを解放することができない。したがって、ボタンに対する意図的でない接触によっては、ロックを解放することができず、ユーザに対する操作上の安全が保証される。
【考案の効果】
【００１２】
本考案の安全ロック機構を備えた伸縮装置によれば、意図しない解放を防止することができるとともに、ユーザにとって不便な二重のラッチを回避することができる。
【考案を実施するための最良の形態】
【００１３】
本考案は、以下に示される詳細な説明からより完全に理解されるようになるであろう。しかし、かかる説明は、例示のみのためにあり、したがって、本考案を限定するものではない。
【００１４】
本考案による伸縮装置は、着脱可能な部材を支持するものである。着脱可能な部材は、取り付け時には、容易に動かされてロック機構により固定され得る。取り外し時には、より容易な保管あるいは配達のために、伸縮装置は収縮され、ロック機構によって安全にラッチされる。着脱可能な部材は、通常、液晶ディスプレイ、スピーカ、タブレット等である。
【００１５】
図１、２、および３に示すように、伸縮装置９０は、第１エレメント９１、第２エレメント９２、およびばね９３を含んでいる。
【００１６】
第１エレメント９１は、前端部および後端部を有する円筒状のエレメントである。後端部の近隣には、空間９１３を形成するための仕切り９１１がある。仕切りの中央付近には、停止ロッド５０が設けられるスリーブ凹部９１１３がある。スリーブ凹部９１１３の半径方向反対の両側には、内部にねじが形成された２つの案内ロッド６１、６２がある。また、案内ロッド６１は、案内ブロック６１１を含む。案内ロッド６１、６２の側方、具体的には案内ロッド６１および６２を結ぶ線分をはさんだ両側に、通孔９１１１、９１１２が形成される。また、第１エレメント９１の周囲の壁に形成され案内ロッド６１、６２と一直線に並べられる孔９１４がある。
【００１７】
第２エレメント９２は、第１エレメント９１に対応しており、接続端部および挿入端部を有する円筒状のエレメントである。接続端部には、液晶ディスプレイ、あるいは他の装置（図示せず）を取り付けるための、フック、ねじ、あるいは他の接続手段が備えられている。
【００１８】
第２エレメント９２の外径は、第１のエレメント９１の内径と略同一だがそれよりも小さく、それで、挿入端部は、第１エレメント９１の前端部にはめこまれることができ、第１および第２エレメント９１、９２は、相対的な位置を調整するために、直線方向に移動可能である。２つのフック９２１、９２２は、第２エレメント９２の挿入端部から伸延している。フック９２１、９２２には、案内スロープ９２１１、９２２１と、フック部９２１２、９２２２が形成されている。
【００１９】
第１ばね９３は、第１エレメント９１に取り付けられ、第１および第２エレメント９１、９２を通常時にそれらの最大距離に保つために、第２エレメント９２を押圧している。第２エレメント９２は、外力が第１ばね９３の力に対して加えられる場合にのみ、引っ込ませられる。第２エレメント９２が第１エレメント９１の中に引っ込ませられるとき、第２エレメント９２のフック９２１、９２２は、通孔９１１１、９１１２を通過して空間９１３に達する。より容易な説明のために、第１および第２エレメント９１、９２の軸方向は第１方向と定義され、それらの半径方向は第２方向と定義される。したがって、第１および第２方向は互いに垂直である。
【００２０】
ロック機構は、カバー７１、案内プレート１０、ロックプレート２０、第２ばね３０、第３ばね４０、停止ロッド５０、一対の案内ロッド６１、６２、およびボタン７２を含んでいる。カバー７１は、第１エレメント９１の後端部に係合し、空間９１３を覆う。カバー７１には、案内ロッド６１、６２に対応する貫通孔７１１、７１２が形成されている。カバー７１を第１エレメント９１の後端部に固定するために、ねじ８１、８２が、貫通孔７１１、７１２を通過して、案内ロッド６１、６２にねじ込まれる。
【００２１】
ロックプレート２０は、空間９１３に設けられる金属のプレートであり、第１および第２方向に移動可能である。案内ロッド６１、６２に対応する２つの孔２１、２２は、ロックプレート２０の中央部付近に形成される。孔２１には、さらに、案内ロッド６１の案内ブロック６１１に対応する切欠き２１１が形成されている。孔２２の一端部は、停止ロッド５０に対応するところまで延長しており、停止部２２１を定義している。ロックプレート２０において、孔２１、２２の側方、具体的には孔２１および２２を結ぶ線分をはさんだ両側に、レールスロット２３、２４とフック９２１、９２２に対応する２つのロック孔２５、２６とが形成されている。ロック孔２５、２６の一端部には、第１方向に傾斜して延びるスロープ２５１、２６１が形成されている。ロックプレート２０の前および後端部には、それぞれ凹部２７および端部プレート２８がある。
【００２２】
案内プレート１０は、ポリマー材料等でできている矩形状のプレートである。案内プレート１０は、空間９１３に設けられ、仕切り９１１とロックプレート２０との間に設置される。案内プレート１０の中央部には、仕切り９１１のスリーブ凹部９１１３に対応するスリーブ凹部１６がある。スリーブ凹部１６の中央には、停止ロッド５０に対応する貫通孔１１がある。案内プレート１０には、さらに、案内ロッド６１、６２に対応する２つの孔１２、１３が形成されている。孔１２は、案内ロッド６１の案内ブロック６１１に対応する切欠き１２１を有する。また、案内プレート１０の一方の表面には、第１方向に伸延している２つのレール１４、１５が形成されている。スリーブ１７が案内プレート１０にさらに形成されており、このスリーブ１７はロックプレート２０の凹部２７に対応している。
【００２３】
第１エレメント９１の空間９１３の中にロック機構を組み入れるために、まず、ボタン７２が孔９１４に取り付けられる。第２ばね３０が、仕切り９１１のスリーブ凹部９１１３に取り付けられる。第３ばね４０が、案内プレート１０のスリーブ１７に取り付けられる。スリーブ凹部１６が、第２ばね３０に面せられる。孔１２、１３を、案内ロッド６１、６２が通過する。組み立て時において、案内プレート１０のスリーブ凹部１６は、仕切り９１１のスリーブ凹部９１１３に対向する。案内ブロック６１１および孔１２の切欠き１２１は、正しい取付方向を案内するための部分であるので、レール１４、１５は下方に面する。案内ロッド６１、６２を通過して取り付けられる案内プレート１０は、案内ロッド６１、６２に沿って第１方向にのみ移動可能に制限されており、第２方向には移動できない。
【００２４】
さらに、空間９１３にロックプレート２０が配置される。ロックプレート２０は案内プレート１０に対応する。孔２１、２２、およびレールスロット２３、２４は、それぞれ、案内ロッド６１、６２、およびレール１４、１５に対応する。ロックプレート２０はまた、スロープ２５１、２６１が下方に面する特定の方向に配置される。取り付けは、案内ロッド６１の案内ブロック６１１に対応する孔２１の切欠き２１１により案内される。ロックプレート２０は、孔２１、２２を通じて案内ロッド６１、６２に通され、案内プレート１０に寄りかかる。したがって、案内プレート１０のレール１４、１５は、レールスロット２３、２４の中に移動させられる。レールスロット２３、２４の長さは、案内プレート１０のレール１４，１５よりも大きく、それで、ロックプレート２０は、案内ロッド６１、６２に沿った第１方向の移動に加えて、レールスロット２３、２４に沿って第２方向に移動可能である。凹部２７および端部プレート２８は、それぞれ、第３ばね４０およびボタン７２に対応する。第３ばね４０の力によって、ロックプレート２０は、通常時には、第３ばね４０が圧縮から解放されてロックプレート２０がボタン７２を外方へ動かすところのラッチ位置に移動させられる。ボタン７２が内方に押圧されるとき、ロックプレート２０は、第３ばね４０を押圧し、ラッチが外される位置に動く。第１方向において、ロックプレート２０は、通常時に第２ばね３０が解放されるところの解放位置に動くように、第２ばね３０によってさらに押圧される。外力が加えられて第２ばね３０を押圧し、ロックプレート２０の孔２２が停止ロッド５０によって停止されて第２方向に移動できなくされるとき、安全位置にあるとされる。
【００２５】
最後に、カバー７１を第１エレメント９１の後端部に取り付けて、空間９１３を閉じる。一対のねじ８１、８２が、貫通孔７１１、７１２を通過し、カバー７１を案内ロッド６１、６２上で第１エレメント９１に固定する。
【００２６】
図４Ａ、４Ｂ、４Ｃ、４Ｄ、４Ｅ、および４Ｆに示すように、第１ばね９３、第２ばね３０、および第３ばね４０によって、第１および第２のエレメント９１、９２は、通常、第１方向において相互の距離が最大距離に保たれる。ロックプレート２０は、通常、第１方向において解放位置に、および第２方向においてラッチをかけられたラッチ位置にある。第２エレメント９２を押圧して第１ばね９３を圧縮することによって、第２エレメント９２は第１エレメント９１に引っ込ませられて、それらの間の距離が減少する。継続的に引っ込ませられた後、第２エレメント９２のフック９２１、９２２は、通孔９１１１、９１１２、および案内プレート１０を通過して、ロックプレート２０のロック孔２５、２６の前方側に接触する。第２エレメント９２がさらに引っ込ませられることによって、フック９２１、９２２の案内スロープ９２１１、９２２１は、ロックプレートをラッチが外れる位置の方へ押圧する。フック９２１、９２２がロックプレート２０を通過した後、第３ばね４０が解放されて、ロックプレート２０を、フック９２１、９２２のフック部９２１２、９２２２がロックプレート２０のスロープ２５１、２６１にラッチをかけられるところのラッチ位置に戻す。外力が取り除かれると、第１ばね９３の解放力は、第２エレメント９２を押圧し、ロックプレート２０に第１の力Ｆ１を与える。第１の力Ｆ１は、第２ばね３０を押圧し、停止ロッド５０がロックプレート２０の孔２２に入り停止部２２１によって第２方向に動くことができないように制限されるところの安全位置に、ロックプレート２０を動かす。第２ばね３０の圧縮力は、Ｆ２（ただしＦ１＞Ｆ２）として定義される。安全位置において、ユーザは、ロックプレート２０からフック９２１、９２２を解放するためにボタン７２を内方へ押すことができず、それで、ボタン７２に対する何らかの意図しない接触によってロックプレート２０のラッチが外れることは決してない。実用的には、本考案の伸縮装置９０は、液晶ディスプレイパネル（図示せず）に適用することができ、パネルを支持して高さを調整することが可能である。配達に関してパッケージの寸法を減らすために、伸縮装置９０および液晶ディスプレイパネルは分離され、第２エレメント９２は第１のエレメント９１の中に引っ込ませられる。上記の通り、第２エレメント９２は、ロックプレート２０によってラッチをかけられる。露出されたボタン７２は、いかなる意図的な不慮の力によっても、移動され得ない。したがって、ユーザが製品を取り出すとき、第２エレメント９１は飛び出さず、人々を傷つけることはない。
【００２７】
液晶ディスプレイパネルを伸縮装置９０に設置するとき、液晶ディスプレイパネルは、フック９２１、９２２を下方へ動かすために、第１方向において第１ばね９３の力に打ち勝つ重力を提供する。それから、第２ばね３０は、ラッチが外れる位置にロックプレート２０を解放し、ボタン７２は押下されることができる。スロープ２５１、２６１、および案内スロープ９２１１、９２２１を用いて、ロックプレート２０がラッチの外れる位置に動かされ、第２エレメント９２は、第１エレメント９１から解放される。液晶ディスプレイパネルの重量は、第２エレメント９２が即座に解放されることを防止する。そして、第１および第２のエレメント９１、９２の相対的な位置が、調整され得る。
【００２８】
本考案は、以上のように説明されているが、同様なものが種々の方法で変更されてもよいことは明らかである。このような変更は、本考案の精神および範囲から逸脱するものと見なされるべきではなく、そのような改変のすべては、実用新案登録請求の範囲内に含まれるものである。
【図面の簡単な説明】
【００２９】
【図１】本考案のロック機構の分解斜視図である。
【図２】本考案のロック機構の断面図である。
【図３】本考案のロック機構の部分的な斜視図である。
【図４Ａ】２つのエレメントがそれらの相対的な距離を変えているときの本考案のロック機構の操作中の断面図である。
【図４Ｂ】第２エレメントが引っ込められてロックプレートが解放位置にあるときの本考案のロック機構の機能を示す図である。
【図４Ｃ】第２エレメントがロックプレートを安全位置に動かすときの本考案のロック機構の機能を示す図である。
【図４Ｄ】第２エレメントがさらに重力によって引っ込められて、ロックプレートを解放位置に動かすときの本考案のロック機構の機能を示す図である。
【図４Ｅ】ロックプレートが外力によって解放位置に動かされたときの本考案のロック機構の機能を示す図である。
【図４Ｆ】第２エレメントが弾性力により第１のエレメントに対して相対的に伸長されるときの本考案のロック機構の機能を示す図である。
【符号の説明】
【００３０】
１０    案内プレート、
１１    貫通孔、
１２、１３    孔、
１４、１５    レール、
１６    スリーブ凹部、
１７    スリーブ、
２０    ロックプレート、
２１、２２    孔、
２３、２４    レールスロット、
２５、２６    ロック孔、
２７    凹部、
２８    端部プレート、
３０    第２ばね、
４０    第３ばね、
５０    停止ロッド、
６１、６２    案内ロッド、
７１    カバー、
７２    ボタン、
９０    伸縮装置、
９１    第１エレメント、
９２    第２エレメント、
９３    第１ばね、
２２１    停止部、
２５１、２６１    スロープ、
６１１    案内ブロック、
７１１、７１２    貫通孔、
９１３    空間、
９１４    孔、
９２１、９２２    フック、
９１１１、９１１２    通孔、
９１１３    スリーブ凹部、
９２１１、９２２１    案内スロープ、
９２１２、９２２２    フック部。
【図１】
0003102052.tif 000003
【図２】
0003102052.tif 000004
【図３】
0003102052.tif 000005
【図４Ａ】
0003102052.tif 000006
【図４Ｂ】
0003102052.tif 000007
【図４Ｃ】
0003102052.tif 000008
【図４Ｄ】
0003102052.tif 000009
【図４Ｅ】
0003102052.tif 000010
【図４Ｆ】
0003102052.tif 000011